(57)【要約】【課題】エレベータかご、特にはエレベータかごの天井および／または下面へのアクセスを、簡単なやり方で制御する方法を提供すること。【解決手段】エレベータかご５の特には天井７および／または下面へのアクセスを制御する方法が、エレベータ制御部を、アクセスを可能にする所定の停止位置Ｗ１、Ｗ４へと移動するようにかご５を制御するメンテナンスモードへと切り替える工程と、かご５が走行しているエレベータ昇降路１の乗り場扉Ｔ１、Ｔ２、Ｔ３、Ｔ４を開く工程と、を含む。エレベータ制御部は、乗り場呼び出し受け付け手段をエレベータを呼び出すための呼び出しパターンとは異なる所定の識別パターンで操作した場合にのみ、上記メンテナンスモードへと切り替わる。【選択図】図１
2008030954.tif 000002
【特許請求の範囲】
【請求項１】
エレベータかご（５）、特にはエレベータかご（５）の天井（７）および／または下面へのアクセスを制御するために、
かご（５）が走行しているエレベータ昇降路（１）の乗り場扉（Ｔ１、Ｔ２、Ｔ３、Ｔ４）を開く工程、および
エレベータ制御部を、アクセスを可能にする所定の停止位置（Ｗ１、Ｗ４）へと移動するようにかご（５）を制御するメンテナンスモードへと切り替える工程
を含む方法であって、
エレベータ制御部が、乗り場呼び出し受け付け手段をエレベータの通常の動作時にエレベータを呼び出すための呼び出しパターンとは異なる所定の識別パターンで操作することによって、前記メンテナンスモードへと切り替えられることを特徴とする、方法。
【請求項２】
前記メンテナンスモードへの切り替えのために、さらに乗り場扉を開放または開錠しなければならない、請求項１に記載の方法。
【請求項３】
前記メンテナンスモードへの切り替えのために、乗り場呼び出し受け付け手段の操作前または操作後の所定の時間期間内に、乗り場扉を開放または開錠しなければならない、請求項２に記載の方法。
【請求項４】
エレベータ制御部が、
最初に乗り場扉を開き、
次いで乗り場呼び出し受け付け手段を所定の識別パターンで操作する
ことによって前記メンテナンスモードへと切り替えられる、請求項２または３に記載の方法。
【請求項５】
エレベータ制御部が、
最初に乗り場呼び出し受け付け手段を所定の識別パターンで操作し、
次いで乗り場扉を開く
ことによって前記メンテナンスモードへと切り替えられる、請求項２または３に記載の方法。
【請求項６】
乗り場扉が、非常開錠システムを特には三角鍵によって動作させることによって手動で開放される、請求項１から５のいずれか一項に記載の方法。
【請求項７】
所定の識別パターンおよび／または乗り場呼び出し受け付け手段の階（Ｅ１、Ｅ２、Ｅ３、Ｅ４）が、乗り場呼び出し受け付け手段の階（Ｅ１、Ｅ２、Ｅ３、Ｅ４）に対する停止位置（Ｗ１、Ｗ４）、特にはエレベータかごの天井および／または下面へのアクセスを可能にする停止位置を指示する、請求項１から６のいずれか一項に記載の方法。
【請求項８】
第１の所定の識別パターン、および／または最も下方の階よりも上方の階の乗り場呼び出し受け付け手段から受信される所定の識別パターンが、乗り場呼び出し受け付け手段の階（Ｅ４）からの天井へのアクセスを可能にする停止位置（Ｗ１）を指示し、
第１の所定の識別パターンとは異なる第２の所定の識別パターン、および／または最も下方の階の乗り場呼び出し受け付け手段から受信される所定の識別パターンが、乗り場呼び出し受け付け手段の階（Ｅ１）からのエレベータかご（５）の下面へのアクセスを可能にする停止位置（Ｗ１）を指示する、請求項７に記載の方法。
【請求項９】
乗り場呼び出し受け付け手段が、呼び出しボタン（１０）、および／またはカードリーダ、および／または音声呼び出し手段を含む、請求項１から８のいずれか一項に記載の方法。
【請求項１０】
乗り場呼び出し受け付け手段が、少なくとも２つの呼び出しボタン（「上」ボタン（１０．１）、「下」ボタン（１０．２））を含み、所定の識別パターンが、少なくとも２つの呼び出しボタン（１０．１、１０．２）のうちの一方を選択することを含む、請求項９に記載の方法。
【請求項１１】
エレベータ制御部が、かご（５）が空である場合、および／または未消化のかご呼び出しが存在しない場合に、エレベータかご（５）を所定の停止位置へと移動させる、請求項１から１０のいずれか一項に記載の方法。
【請求項１２】
制御部が、乗り場扉を閉じ、乗り場呼び出し受け付け手段を所定の閉止識別パターンで操作することによって、メンテナンスモードから通常モードへと再び切り替えられる、請求項１から１１のいずれか一項に記載の方法。
【請求項１３】
所定の閉止識別パターンが、メンテナンスモードへの切り替えのための所定の識別パターンと同一であり、あるいはメンテナンスモードへの切り替えのための所定の識別パターンと異なる、請求項１２に記載の方法。
【発明の詳細な説明】
【技術分野】
【０００１】
本発明は、特にはメンテナンスおよび／または検査のためにエレベータかごへのアクセスを制御する方法に関する。
【背景技術】
【０００２】
エレベータに対して検査および／またはメンテナンス（以下では、まとめてメンテナンスと称するが、メンテナンスに限られるわけではない）を実行するために、エレベータの個々のかごへのアクセスを得ることが必要であり、特にはかごの天井および／または下面へのアクセスを得ることが必要である。
【０００３】
従来は、メンテナンス担当の整備士が、自分のいる階へとかごを呼び寄せ、この階からアクセスできる高さにかごの天井があるときに、三角鍵によってエレベータ昇降路の扉を開くことによってかごを停止させている。反対に、メンテナンス担当の整備士は、エレベータかごの底部が、かごの底部の領域に配置された構成要素の視覚的検査またはかごの下面へのアクセスを可能にする高さにあるときに、エレベータ昇降路の扉を開くことによってかごを停止させることができる。例えば図１を参照すると、メンテナンス担当の整備士６が、階Ｅ４の乗り場呼び出しボタンを操作することによって、エレベータかごを呼び寄せることができる。呼び寄せに応答して到着するかご５が、階Ｅ３および次の階Ｅ４の間の途中にある瞬間に、整備士が、乗り場扉Ｔ４を三角鍵によって手動で開く。扉が開くことで、移動中のかごが自動的に停止し、整備士６は、扉Ｔ４からかごの天井７へとアクセスすることができる。メンテナンスを終えると、整備士６は、かごの天井およびエレベータ昇降路１から離れて扉Ｔ４を閉じ、その結果、エレベータが通常の動作へと復帰することができる。一方で、図２に示されているように、整備士６は、エレベータかごを最も下方の階Ｅ１へと呼び寄せることができる。昇降路のピットへと進入して昇降路のピットの底からかごの下面へとアクセスすることができるよう、階Ｅ１の扉Ｔ１を開くことによって、かごをＥ２およびＥ１の間の高さに停止させる。メンテナンスを終えると、整備士６は、昇降路のピット２から離れて扉Ｔ１を閉じ、その結果、エレベータは通常の動作へと復帰することができる。
【０００４】
しかしながら、この従来からの方法は、きわめて簡単ではあるものの、いくつかの欠点を抱えている。並置された一群のエレベータが存在する場合、メンテナンス担当の整備士がメンテナンス対象のかごを選択的に呼び出すことができず、代わりにエレベータ群の制御部が、整備士の呼び寄せに応答して、所定の動作手順（例えば、受け付け済みの呼び出し、かご間の距離、および呼び出しを行っている階、などに基づく）にしたがって、一群のうちの１つのかごを派遣する。このように、整備士が、エレベータ群のうちの特定のエレベータについてメンテナンス作業を実行すべく特定のかごを選択することができない。
【０００５】
さらには、かごを扉を手動で開くことによって２つの階の高さの間の所望の位置に停止させることは、特にはかごの天井または下面と乗り場扉との間の正確な一致が必要とされる場合（例えば、重たい機械装置をかごの天井などへと移動させなければならない場合）に、きわめて困難である。このために、整備士は、かごの慣性、制動距離、などを考慮に入れなければならない。
【０００６】
またさらには、権限のない者が、この従来からの方法を利用することができる。すなわち、単純な三角鍵によってかごの天井へとアクセスでき、三角鍵がいわゆるエレベータサーフィンのために悪用されることもしばしばである。
【０００７】
これらの問題に鑑み、特開平２−２２５２７８が、暗号信号を供給する暗号信号出力手段を提案しており、暗号信号によって制御部が、かごの天井の高さが選択された搭乗ホールの高さに一致するように、エレベータかごをかご停止位置へと移動させる。これにより、整備士は、乗り場扉を開いた後にかごの天井へとアクセスできる。
【特許文献１】特開平２−２２５２７８号公報
【特許文献２】欧州特許出願公開第１４６６８５３号明細書
【発明の開示】
【発明が解決しようとする課題】
【０００８】
しかしながら、この方法は、制御部による暗号信号の登録を必要としており、すなわちこの信号を入力および受信するための特定の手段を必要としている。さらに、暗号信号は、メンテナンス対象のかごならびに整備士がアクセスを行うことを希望している階を知らせていなければならない。この方法は、上述した問題を克服するために、追加のハードウェアならびに複雑な信号を必要としている。したがって、この方法は複雑かつ高価である。
【０００９】
本発明の目的は、エレベータかご、特にはエレベータかごの天井および／または下面へのアクセスを、簡単なやり方で制御する方法を提供することにある。
【課題を解決するための手段】
【００１０】
この目的は、請求項１に記載の方法によって達成される。
【００１１】
本発明の一態様によれば、エレベータかご、特にはエレベータかごの天井および／または下面へのアクセスを制御する方法が、
エレベータ制御部を、特には天井および／または下面へと乗り場扉からアクセスできる所定の停止位置へと移動するようにかごを制御するメンテナンスモードへと切り替える工程、および
かごが走行しているエレベータ昇降路の上記乗り場扉を開く工程
を含む。
【００１２】
そこでは、エレベータ制御部が、少なくとも乗り場呼び出し受け付け手段をエレベータを呼び出すための通常のパターンとは異なる所定の識別パターンで操作することによって、上記メンテナンスモードへと切り替えられる。換言すると、乗り場呼び出し受け付け手段を所定の識別パターンで操作することが、メンテナンスモードへの切り替えのための必要条件である。乗り場呼び出し受け付け手段を所定の識別パターンで操作することが、単独で、メンテナンスモードへの切り替えのために充分であってよい。あるいは、メンテナンスモードへの切り替えに、乗り場扉の開放などといった追加の条件を満たすことが必要であってもよい。
【００１３】
メンテナンスモードへの切り替えに、乗り場呼び出し受け付け手段を所定の識別パターンで操作することによって使用することで、必要とされる信号を送信および受信するための追加の余分な手段が不要である。代わりに、従来からのエレベータに必ず備えられているハードウェアを利用することができる。関連の制御機能のみを適応させればよい。さらには、メンテナンス担当の整備士がかごへのアクセスを希望している階を、該当の乗り場呼び出し受け付け手段を特定することによって自動的に知ることができる。
【００１４】
さらには、乗り場扉からかごの天井へとアクセスできる所定の停止位置にかごを移動させるようエレベータ制御部に指示するためには、所定の識別パターンを知らなければならないため、エレベータサーフィンを効果的に防止することができる。上記所定の識別パターンを秘密に保つことによって、権限のない者によるかごの天井へのアクセスを排除することができる。
【００１５】
詳しくは、乗り場呼び出し受け付け手段は、呼び出しボタン、カードリーダ、および／または音声呼び出し手段を含むことができる。乗り場呼び出し受け付け手段が、呼び出しボタンを含む場合には、所定の識別パターンが、ボタンを所定の順序で押圧することを特徴とすることができる。一実施形態においては、この順序を、例えば３秒の間の３回の押圧など、所定の時間期間内の特定の回数の押圧として定義することができる。他の実施形態においては、この順序を、例えば２回の短い押圧に続く１回の長い押圧およびさらなる４回の短い押圧（単語「ＩＮＳＰＥＣＴＩＯＮ」の略語としてモールス符号の「ＩＮＳ」をもたらす）など、モールス信号のように定義することができる。他の実施形態においては、順序が、所定のパターンでの「上」および「下」ボタンの押圧を含むことができる。これにより、識別パターンを、１回の押圧または無作為な順序での繰り返しの押圧などといった通常の呼び出しパターン（例えば、異なる乗客または１人のせっかちな乗客によって入力される押圧）から、区別することができる。
【００１６】
例えば、乗り場呼び出し受け付け手段が、カードリーダを含む場合には、所定の識別パターンを含む特別なメンテナンス用カードを用意することができ、あるいは所定の識別パターンを、通常のカードの所定の順序および／または方向での種々の回数の挿入（例えば、カードを第１の方向に２回挿入し、続いて反対の方向に１回挿入する）によって定義することができる。
【００１７】
例えば、乗り場呼び出し受け付け手段が、音声呼び出し手段を含む場合には、メンテナンス担当の整備士が、所定の識別パターンとしてコード名などを話すことができる。
【００１８】
本発明の好ましい実施形態においては、上記メンテナンスモードへの切り替えのために、さらに乗り場扉を、短い時間にわたって開錠または開放しなければならない。すなわち、乗り場扉を開くためにハードウェア器具が必要であり、アクセスを可能にする停止位置へとかごを呼び出すために、識別パターンの暗号を知っている必要がある。
【００１９】
さらに、特定のエレベータ昇降路の乗り場扉を開くことによって、一群のエレベータかごのうちの１つのエレベータかごを、簡潔なやり方で選択することができる。代案として、乗り場呼び出し受け付け手段を個々のかごに特有の所定の識別パターン、すなわち個々のかごを特定する個々の所定のパターンで操作することによって、かごを選択してもよい。
【００２０】
好都合には、上記メンテナンスモードへの切り替えのために、乗り場呼び出し受け付け手段の操作前または操作後の所定の時間期間内に、乗り場扉を開錠または開放しなければならない。したがって、権限のある整備士が乗り場扉を開き、上記指定の時間期間内に識別パターンを入力した場合にのみ、パターンが識別パターンとして認識される。対照的に、乗り場呼び出し受け付け手段が偶然に所定のパターンで操作されても、同時に乗り場扉が開錠または開放されていないため、識別パターンとしては受け入れられない。
【００２１】
本発明の一実施形態によれば、エレベータ制御部が、最初に乗り場扉を開錠または開放し、次いで乗り場呼び出し受け付け手段を所定の識別パターンで操作することによって、上記メンテナンスモードへと切り替えられる。エレベータ制御部が、上記乗り場扉の開錠または開放によって、該当のかごの移動を阻止する阻止状態へと切り替えられる。その後に乗り場呼び出し受け付け手段が所定の識別パターンで操作された場合にのみ、エレベータ制御部が、阻止状態から、開錠または開放された乗り場扉に対応するかごのためのメンテナンスモードに切り替わり、かごを所定の停止位置へと移動させることができる。
【００２２】
本発明の他の実施形態によれば、エレベータ制御部が、反対に、すなわち最初に乗り場呼び出し受け付け手段を所定の識別パターンで操作し、次いで乗り場扉を開放または開錠することによって、上記メンテナンスモードへと切り替えられる。すなわち、エレベータ制御部が、乗り場呼び出し受け付け手段を所定の識別パターンで操作することによってメンテナンス前モードへと切り替わり、その後に乗り場扉が開錠または開放されるときに阻止状態には切り替わらずに、メンテナンスモードへと切り替わる。エレベータ制御部は、他のすべての場合、すなわちメンテナンス前モードへと切り替わらない場合には、乗り場扉が開かれたときに阻止状態へと切り替わり、エレベータサーフィンというかたちでの悪用ならびに乗り場扉の意図しない開放によって引き起こされる他の危険な状況を防止する。
【００２３】
乗り場扉は、非常開錠システムを好ましくは三角鍵によって動作させることによって手動で開放することができる。従来からの三角鍵を非常開錠システムのために使用できる一方で、メンテナンスモードへの切り替えを行うため、すなわちかごの天井または下面へのアクセスを可能にするために、所定の識別コードがさらに必要であるため、同時に悪用も防止される。乗り場呼び出し受け付け手段を所定の識別パターンで操作することなく乗り場扉のみが開かれた場合、エレベータ制御部は、阻止状態へと自動的に切り替わり、かごの移動を防止することができる。
【００２４】
好ましくは、メンテナンスのための停止位置を、操作された乗り場呼び出し受け付け手段の階、すなわち当該手段が位置している階によって決定することができる。本発明の好都合な実施形態においては、かごの下面へのアクセスが、エレベータ昇降路の底部の昇降路ピットからのみ可能であり、すなわちかごの下面が或る特定の距離だけ最も下方の階の高さの上方に位置して、メンテナンス担当の整備士が最も下方の乗り場扉から昇降路ピットへとアクセスできるようにしている位置にかごがある場合にのみ、かごの下面へのアクセスが可能である。反対に、かごの天井へのアクセスは、かごがかごの天井が最も下方の階に一致するほどには下降できないため、最も下方の階よりも上方の階からのみ可能である。したがって、最も下方の階に位置する乗り場呼び出し受け付け手段の操作は、かごの下面のメンテナンスを知らせており、エレベータ制御部が、昇降路ピットからかごの下面へとアクセスできる位置にかごを制御する。他方では、他の乗り場高さに位置する乗り場呼び出し受け付け手段の操作は、かごの天井のメンテナンスまたはかごの天井からのメンテナンスを知らせており、エレベータ制御部が、乗り場呼び出し受け付け手段の階の高さからかごの天井へとアクセスできる位置（例えば、かごの天井の高さが、乗り場の床の高さにほぼ一致する）にかごを移動させる。
【００２５】
本発明の他の態様によれば、所定の識別パターン自体によって、乗り場呼び出し受け付け手段の階に対するメンテナンスのための停止位置、特にはかごの天井または下面へのアクセスまたは少なくとも目視を可能にする停止位置を、指示することも可能である。好ましい実施形態においては、第１の所定の識別パターンが、乗り場呼び出し受け付け手段の階からの天井へのアクセスを可能にする停止位置を指示する一方で、第１の所定の識別パターンとは異なる第２の所定の識別パターンが、乗り場呼び出し受け付け手段の階からのかごの下面へのアクセスまたはかごの下面の目視を可能にする停止位置を指示する。
【００２６】
例えば、呼び出しボタンを５秒間の間に３回押圧することによって、エレベータ制御部を天井メンテナンスモードへと切り替えることができ、天井メンテナンスモードにおいては、かごが、かごの天井と操作された乗り場呼び出し受け付け手段が位置している階の乗り場床高さとが実質的に一致する停止位置へと移動するように制御される。呼び出しボタンの適宜な操作の前または後に、該当の乗り場扉を開くことで、メンテナンス担当の整備士は、選択されたかごの天井に容易にアクセスすることができる。他方で、呼び出しボタンを５秒間の間に２回押圧することによって、エレベータ制御部を下面メンテナンスモードへと切り替えることができ、下面メンテナンスモードにおいては、かごが、操作された乗り場呼び出し受け付け手段が位置している階の乗り場床高さの上方の停止位置へと移動するように制御される。呼び出しボタンの適宜な操作の前または後に、該当の乗り場扉を開錠または開放することで、メンテナンス担当の整備士は、乗り場の床から選択されたかごの下面へと容易にアクセスすることができ、あるいは少なくとも選択されたかごの下面を容易に目視することができる。
【００２７】
代案として、乗り場呼び出し受け付け手段が、呼び出し者が上方への移動を望んでいる旨を知らせる「上」呼び出しボタンと、下方へと移動すべくエレベータを呼び出すための「下」呼び出しボタンとを含んでもよい。今や、「上」呼び出しボタンを所定の順序（例えば３回の短い押圧およびその後の３回の長い押圧、など）で操作することを、天井へのアクセスを可能にする停止位置を指示する第１の所定の識別パターンとして識別することができる。「下」呼び出しボタンを、３回の短い押圧および３回の長い押圧からなる同じ所定の順序で操作することを、かごの下面へのアクセスまたはかごの下面の目視を可能にする停止位置を指示する第２の所定の識別パターンとして識別することができる。
【００２８】
好ましい実施形態によれば、制御部が、かごが空である場合、および／または未消化のかご呼び出しが存在しない場合に、かごを所定の停止位置へと移動させる。したがって、乗り場扉の開放または開錠ならびに所定の識別パターンでの乗り場呼び出し受け付け手段の操作によってメンテナンスモードへと切り替えられたエレベータ制御部は、最初にかごが空であるか否かを判断（例えば、かごからの重量信号の分析、またはかごについてのすべての呼び出しの完遂によって）できる。これに加え、あるいはこれに代えて、エレベータ制御部は、該当のかごについて未消化の呼び出しが存在するか否かを判断できる。この判断の答えは、未消化の呼び出しが全く存在しない場合、または未消化の呼び出しにエレベータの他のかごによって応えることができる場合に、肯定であってよい。次いで、かごが空であり、かつ／あるいは該当のかごによって応じるべき未消化の呼び出しが存在しない場合にのみ、エレベータ制御部がかごを所定の停止位置へと移動させ、天井または下面へのアクセスを可能にし、あるいは天井または下面の目視を可能にする。
【００２９】
メンテナンスを終えた後、整備士は、エレベータ昇降路から離れて乗り場扉を閉じる。扉を閉じることによって、エレベータ制御部が再び通常モードへと切り替わる（すなわち、乗客の呼び出しに応答する）。
【００３０】
好都合には、エレベータ制御部は、乗り場扉が閉じられて、乗り場呼び出し受け付け手段が所定の閉止識別パターン（メンテナンスモードへの切り替えのための所定の識別パターンと同一でよく、あるいは異なっていてもよい）で操作された後でのみ、通常モードへと復帰する。したがって、整備士がエレベータ昇降路を離れた後に乗り場扉を意図して閉じることを、確実にすることができる。これにより、整備士が未だエレベータ昇降路内にいる状態での意図せぬ通常動作への復帰を、防止することができる。
【００３１】
所定の閉止識別パターンが、メンテナンスモードへの切り替えのための所定の識別パターンと同一である場合、整備士は、１つのパターンだけを覚えればよく、日々の作業が容易になる。他方で、第２の所定の識別パターンがメンテナンスモードへの切り替えのための所定の識別パターンと異なる場合、権限のない者がかごの天井へとアクセス（メンテナンスモードへの切り替えのための所定の識別パターンを知っている必要がある）して、乗り場扉が閉じられた後もそこにとどまる可能性が、さらに少なくなる（通常モードへの復帰のための所定の閉止識別パターンを知っている必要があるため）。
【００３２】
他の目的、特徴、および利点は、従属請求項および／または以下に提示される好ましい実施形態の説明から明らかになるであろう。
【発明を実施するための最良の形態】
【００３３】
図１に示されているように、本発明の一実施形態による方法によって制御することができるエレベータは、少なくとも１つのかご５が種々の階Ｅ１からＥ４の間で昇降するエレベータ昇降路１を含む。それぞれの階Ｅ１からＥ４には、乗り場呼び出し受け付け手段として、呼び出しボタン１０が設けられている。呼び出しボタン１０の押圧が、エレベータ制御部によって登録され、かご５が、呼び出しに応えるべく対応する階へと派遣される。
【００３４】
図１には示されていないが、並置されたエレベータ昇降路内に複数のかごが用意されている。ここで、乗客が呼び出しボタンを押圧すると、エレベータ制御部が、複数のかごのうちのどれが呼び出しに応えるのかを、保存されているアルゴリズムに基づいて決定する。例えば、上記呼び出しボタン１０が帰属する階に隣接しているかごに決定することができる。あるいは、空のかごを、この呼び出しに応えるべく派遣することができる。
【００３５】
それぞれの呼び出しボタン１０は、好都合には、１つの「上」ボタン１０．１および１つの「下」ボタン１０．２という２つの別個のボタンを含む。当分野において知られているとおり、「上」ボタンの押圧は、上方へと移動するようにかごを呼ぶものとして登録され、その逆も同様である。したがって、エレベータ制御部は、「上」ボタンによる呼び出しに応答するために、すでに上昇中のかごのみを選択する一方で、「下」ボタンによる呼び出しには、すでに下降中のかごのみが応答する。
【００３６】
一群のかごのうちの１つであるエレベータかご５の天井７へとアクセスするために、エレベータの各階のうちの１つ（図１においては、例として階Ｅ４が描かれている）に位置するメンテナンス担当の整備士６が、まずは三角鍵によって対応する乗り場扉Ｔ４の非常開錠システムを動作させ、乗り場扉Ｔ４を開放または開錠する。これにより、該当するエレベータ昇降路の乗り場扉を開くことによって選択されたエレベータかご５のエレベータ制御部が、選択されたかご５の移動を防止する阻止状態へと切り替わる。
【００３７】
次に、整備士６が、この乗り場階の「上」ボタン１０．１および／または「下」ボタン１０．２を、所定の順序で押圧する。この順序は、通常の乗客が偶然に押圧してしまう可能性がないように選択される。乗客が、待ちきれない場合に呼び出しボタンを繰り返し押圧する可能性があり、あるいは別の乗客が同じボタンを押圧する可能性があるため、上記順序は、所定の順序および所定の時間期間内での「上」ボタン１０．１および／または「下」ボタン１０．２の長時間および短時間の押圧を含むことができる。例えば、そのような順序は、２回の短時間の押圧、およびそれに続く１回の長時間の押圧を、すべて３秒間の時間内に含むことができる。このようして、整備士６は、「上」ボタン１０．１を上記の順序で押圧することによって、乗り場呼び出し受け付け手段を第１の所定の識別パターンで操作することができる。
【００３８】
上記第１の所定の識別パターンが確認されると、選択されたエレベータかご５の制御部が、阻止状態からメンテナンスモードへと切り替わる。このメンテナンスモードにおいて、エレベータ制御部が、メンテナンス担当の整備士６が呼び出しを入力した階Ｅ４を割り出し、選択されたかご５を、上記割り出した階に関連付けされている所定の停止位置Ｗ４へと移動させる。整備士が、「上」ボタン１０．１を押圧することによって、乗り場呼び出し受け付け手段を第１の所定の識別パターンで操作したため、制御部は、対応する乗り場扉Ｔ４を通って上記割り出した階Ｅ４からかご５の天井７へと容易にアクセスすることができる図１に示した停止位置Ｗ４へと、かごを移動させる。あるいは、エレベータ制御部が、「上」ボタン１０．１または「下」ボタン１０．２のどちらが押圧されたかにかかわらず、かごをかご５の天井７へとアクセスできる停止位置Ｗ４へと移動させてもよい。これは、最も下方の高さを超えるすべてのメンテナンス高さにおいては、かごの天井に対してのみメンテナンスのためのアクセスが必要であるエレベータ装置について、好ましい課題解決策である。
【００３９】
図１に示されているように、割り出された階が最上階である場合には、エレベータ昇降路１の上部３に位置する機械装置、特には駆動ユニット４および／またはロープについても、検査および／またはメンテナンスを行うことができる。
【００４０】
図２に目を向けると、整備士６は、かご５の下面の領域および／またはエレベータ昇降路１の下部２に配置された構成要素のメンテナンスを望む場合には、最下方の階の乗り場扉Ｔ１を開放または開錠することで、エレベータかご５の制御部を阻止状態へと切り替える。この階の「下」ボタン１０．２を、２回の短時間の押圧およびそれに続く１回の長時間の押圧のすべてを３秒間の時間内に含む所定の順序で押圧することによって、整備士６は、乗り場呼び出し受け付け手段を第２の所定の識別パターンで操作し、エレベータかご５の制御部を、阻止状態からメンテナンスモードへと切り替える。
【００４１】
このメンテナンスモードにおいて、エレベータ制御部が、メンテナンス担当の整備士６が呼び出しを入力した階Ｅ１を割り出し、選択されたかご５を、割り出した階Ｅ１に関連付けされている所定の停止位置Ｗ１へと移動させる。整備士が、「下」ボタン１０．２を所定の順序で押圧することによって、乗り場呼び出し受け付け手段を第２の所定の識別パターンで操作したため、制御部は、メンテナンス担当の整備士６が対応する乗り場扉Ｔ１を通って割り出した階Ｅ１からかご５の下面へとアクセスでき、あるいは少なくともかご５の下面を目視できる図２に示した停止位置Ｗ１へと、かごを移動させる。
【００４２】
やはり代案として、エレベータ制御部が、「上」ボタンまたは「下」ボタンのどちらが所定の順序で押圧されたかにかかわらず、かごの下面がアクセス可能となるようにかごを停止位置Ｗ１へと移動させてもよい。これは、最下方の階からのみエレベータかごの下面へのメンテナンスのためのアクセスが必要であるエレベータ装置について、好ましい課題解決策である。この課題解決策においては、停止位置Ｗ１が、メンテナンス担当の整備士が最下方の階から開放している昇降路扉Ｔ１を通ってエレベータ昇降路のピット２へと進入することができるよう、エレベータかごの下面が、最も下方の階Ｅ１の上方の或る特定の距離に位置するような位置である。メンテナンス担当の整備士は、昇降路のピット２の底部に立って、エレベータかご５の領域に配置された上記の構成要素ならびにエレベータ昇降路１の最下部に配置されたいくつかの構成要素の検査およびメンテナンスを行うことができる。
【００４３】
代案として、第１および第２の所定の識別パターンが、「上」ボタンおよび「下」ボタンのそれぞれを同じ押圧順序で押圧するものとして定められている必要はなく、１つの呼び出しボタンを異なる順序で押圧することによって区別されてもよい。例えば、第１の所定の識別パターンを、「上」ボタンを２回の短時間の押圧およびそれに続く１回の長時間の押圧のすべてを３秒間の時間内に行うことによって押圧するのではなく、１つの呼び出しボタンを３秒以内に５回押圧することによって決定することができる。次いで、第２の所定の識別パターンを、上記と同じ呼び出しボタンを３秒以内に３回押圧することによって決定することができる。
【００４４】
好都合には、エレベータ制御部が、エレベータ制御部がかごを制御して所定の停止位置へと移動させるメンテナンスモードへと切り替えられた旨を、メンテナンス担当の整備士へと知らせる情報信号を提供する。利用可能であれば、エレベータの各階に設けられて、通常のエレベータの動作においてエレベータかごの移動の予告および通知を行っている乗り場のランタンが、メンテナンスモードの状態を知らせるために使用される。例えば、乗り場のランタンの点滅によって、制御部が上記のメンテナンスモードに切り替えられて、かごが要求されたメンテナンス位置へと移動中であることを、メンテナンス担当の整備士に知らせることができる。かごが要求されたメンテナンス位置に達すると、乗り場のランタンが点滅から連続点灯へと切り替えられ、かごが上記のメンテナンス位置およびメンテナンスモードにある間は、連続点灯する。当然ながら、上述の情報を、例えばエレベータの各階において利用できるブザーまたは任意の表示灯など、他の種類の通知装置によって提供することも可能である。
【００４５】
例えば、その内容がすべて本明細書に含まれるＥＰ１４６６８５３から当分野において知られているとおり、安全手段８、９を、メンテナンスモードのエレベータ制御部によって動作させることができる。すなわち、第１の所定の識別信号が受信され、あるいは最も下方の階に対応するものではない乗り場呼び出し受け付け手段からかごの天井７へのアクセスの要求を知らせる所定の識別信号が受信されることによって、エレベータ制御部がメンテナンスモードへと切り替えられるときに、安全手段８を動作させて、エレベータかご５が図１に示した最も上方の停止位置Ｗ４を超えて移動することがないようにできる。これにより、エレベータかごの天井の上方の空間３が危険に減少することが防止される。同じやり方で、第２の所定の識別信号が受信され、あるいは最も下方の階に対応する乗り場呼び出し受け付け手段からかごの下面へのアクセスの要求を知らせる所定の識別信号が受信されることによって、エレベータ制御部がメンテナンスモードへと切り替えられるときに、安全手段９を動作させて、エレベータかご５が図２に示した最も下方の停止位置Ｗ１を超えて移動することがないようにでき、かごの下面の下方の空間２が危険に減少することを防止できる。
【図面の簡単な説明】
【００４６】
【図１】本発明の一実施形態による方法によって制御することができるエレベータを概略的に示す。
【図２】図１のエレベータを、かごの下面へのアクセスを可能にしている状態で示す。
【符号の説明】
【００４７】
１  エレベータ昇降路
２  （エレベータ昇降路の）ピット
３  （エレベータ昇降路の）上部
４  駆動ユニット
５  かご
６  メンテナンス担当の整備士
７  天井
８、９  安全手段
１０  乗り場呼び出し受け付け手段
１０．１  「上」ボタン
１０．２  「下」ボタン
Ｅ１、Ｅ２、Ｅ３、Ｅ４  各階
Ｔ１、Ｔ２、Ｔ３、Ｔ４  扉
Ｗ１、Ｗ４  停止位置
【図１】
2008030954.tif 000003
【図２】
2008030954.tif 000004
【外国語明細書】
2008030954.tif 000005
2008030954.tif 000006
2008030954.tif 000007
2008030954.tif 000008
2008030954.tif 000009
2008030954.tif 000010
2008030954.tif 000011
2008030954.tif 000012
2008030954.tif 000013
2008030954.tif 000014
2008030954.tif 000015
2008030954.tif 000016
2008030954.tif 000017
2008030954.tif 000018
2008030954.tif 000019
2008030954.tif 000020
2008030954.tif 000021